(57)【要約】  基地局装置は、ユーザ装置と通信を行い、復調に使用される参照信号及び位相補正に使用される参照信号を無線フレームに配置する設定部と、前記無線フレームを前記ユーザ装置に送信する送信部とを有し、前記無線フレームにおいて、位相補正に使用される参照信号及び復調に使用される参照信号のいずれかを、所定の間隔以内で配置する。
2019058548.tif 000002
【特許請求の範囲】
【請求項１】
ユーザ装置と通信を行う基地局装置であって、
復調に使用される参照信号及び位相補正に使用される参照信号を無線フレームに配置する設定部と、
前記無線フレームを前記ユーザ装置に送信する送信部とを有し、
前記無線フレームにおいて、位相補正に使用される参照信号及び復調に使用される参照信号のいずれかを、所定の間隔以内で配置する基地局装置。
【請求項２】
前記無線フレームにおいて、第１の位相補正に使用される参照信号を配置するとき、直前の第２の位相補正に使用される参照信号から所定の間隔以内に、復調に使用される参照信号が配置される場合、前記第１の位相補正に使用される参照信号をパンクチャする請求項１記載の基地局装置。
【請求項３】
前記所定の間隔は、位相補正に使用される参照信号間の間隔に、所定のシンボル数を加えた間隔であって、
前記位相補正に使用される参照信号間の間隔に基づいて、前記所定のシンボル数が決定される請求項２記載の基地局装置。
【請求項４】
前記無線フレームにおいて、第１の位相補正に使用される参照信号を配置するとき、直前の第２の位相補正に使用される参照信号から所定の間隔以内に、復調に使用される参照信号が配置される場合、前記第１の位相補正に使用される参照信号の前記無線フレームにおける配置を時間領域においてシフトする請求項１記載の基地局装置。
【請求項５】
前記第１の位相補正に使用される参照信号の前記無線フレームにおける配置を時間領域においてシフトした場合、前記第２の位相補正に使用される参照信号から所定の間隔以内に配置された復調に使用される参照信号を起点として前記所定の間隔が設けられる請求項４記載の基地局装置。
【請求項６】
基地局装置と通信を行うユーザ装置であって、
無線フレームを前記基地局装置から受信する受信部と、
復調に使用される参照信号及び位相補正に使用される参照信号を前記無線フレームから取得して復調及び位相補正を行う処理部とを有し、
前記無線フレームにおいて、位相補正に使用される参照信号及び復調に使用される参照信号のいずれかを、所定の間隔以内で取得するユーザ装置。
【発明の詳細な説明】
【技術分野】
【０００１】
本発明は、無線通信システムにおける基地局装置及びユーザ装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲにおいては、復調用参照信号（ＤＭＲＳ：Demodulation Reference Signal）に関して、チャネル推定及び信号復調に要する処理時間を短縮するため、復調用参照信号をスロット内の時間領域において前方に配置することが検討されている。前方に配置された復調用参照信号をＦｒｏｎｔ−ｌｏａｄｅｄ  ＤＭＲＳという（例えば非特許文献１）。【０００４】
またＮＲにおいては、位相雑音等の影響を軽減するための位相変動補正用参照信号であるＰＴＲＳ（Phase Tracking Reference Signal）の導入が検討されている（例えば非特許文献２）。
【先行技術文献】
【非特許文献】
【０００５】
【非特許文献１】Ｒ１−１７１５２６１  ＷＦ  ｏｎ  Ｒｅｍａｉｎｉｎｇ  ｉｓｓｕｅｓ  ｏｎ  ＤＭＲＳ，  ３ＧＰＰ  ＴＳＧ  ＲＡＮ  ＷＧ１  Ｍｅｅｔｉｎｇ＃９０（Ｐｒａｇｕｅ，  Ｃｚｅｃｈ  Ｒｅｐｕｂｌｉｃ，  ２１ｓｔ−２５ｔｈ  Ａｕｇｕｓｔ，２０１７）
【非特許文献２】Ｒ１−１７１５２０５  Ｓｕｍｍａｒｙ  ｏｆ  ＰＴＲＳ  ｗａｙ  ｆｏｒｗａｒｄｓ  ａｎｄ  ｏｆｆｌｉｎｅ  ｄｉｓｃｕｓｓｉｏｎｓ，  ３ＧＰＰ  ＴＳＧ  ＲＡＮ  ＷＧ１  Ｍｅｅｔｉｎｇ＃９０（Ｐｒａｇｕｅ，  Ｃｚｅｃｈ  Ｒｅｐｕｂｌｉｃ，  ２１ｓｔ−２５ｔｈ  Ａｕｇｕｓｔ，２０１７）
【発明の概要】
【発明が解決しようとする課題】
【０００６】
ＮＲにおいて、ＰＴＲＳは、他の参照信号とのオーバラップ及び参照信号全体のオーバヘッドを考慮して、所要の品質を確保しつつ、無線フレーム上で適切に配置される必要がある。【０００７】
本発明は上記の点に鑑みてなされたものであり、無線通信システムにおいて、ＰＴＲＳを適切に配置することで、位相雑音の補正精度を向上させることを目的とする。
【課題を解決するための手段】
【０００８】
開示の技術によれば、ユーザ装置と通信を行い、復調に使用される参照信号及び位相補正に使用される参照信号を無線フレームに配置する設定部と、前記無線フレームを前記ユーザ装置に送信する送信部とを有し、前記無線フレームにおいて、位相補正に使用される参照信号及び復調に使用される参照信号のいずれかを、所定の間隔以内で配置する基地局装置が提供される。
【発明の効果】
【０００９】
開示の技術によれば、無線通信システムにおいて、ＰＴＲＳを適切に配置することで、位相雑音の補正精度を向上させることができる。
【図面の簡単な説明】
【００１０】
【図１】本発明の実施の形態における無線通信システムの構成例を示す図である。
【図２】本発明の実施の形態における制御信号及びＤＭＲＳが無線フレームに配置される例（１）を示す図である。
【図３】本発明の実施の形態における制御信号及びＤＭＲＳが無線フレームに配置される例（２）を示す図である。
【図４】本発明の実施の形態におけるＰＴＲＳが無線フレームに配置される例を示す図である。
【図５】本発明の実施の形態におけるＰＴＲＳがＰｕｎｃｔｕｒｅされて無線フレームに配置される例（１）を示す図である。
【図６】本発明の実施の形態におけるＰＴＲＳがＰｕｎｃｔｕｒｅされて無線フレームに配置される例（２）を示す図である。
【図７】本発明の実施の形態におけるＰＴＲＳがＰｕｎｃｔｕｒｅされて無線フレームに配置される例（３）を示す図である。
【図８】本発明の実施の形態におけるＰＴＲＳがシフトされて無線フレームに配置される例（１）を示す図である。
【図９】本発明の実施の形態におけるＰＴＲＳがシフトされて無線フレームに配置される例（２）を示す図である。
【図１０】本発明の実施の形態におけるＰＴＲＳがシフトされて無線フレームに配置される例（３）を示す図である。
【図１１】本発明の実施の形態における基地局装置１００の機能構成の一例を示す図である。
【図１２】本発明の実施の形態におけるユーザ装置２００の機能構成の一例を示す図である。
【図１３】本発明の実施の形態における基地局装置１００及びユーザ装置２００のハードウェア構成の一例を示す図である。
【発明を実施するための形態】
【００１１】
以下、図面を参照して本発明の実施の形態を説明する。なお、以下で説明する実施の形態は一例であり、本発明が適用される実施の形態は、以下の実施の形態に限られない。
【００１２】
本実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１３】
また、以下で説明する実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）、ＰＤＣＣＨ（Physical Downlink Control Channel）、ＰＤＳＣＨ（Physical Downlink Shared Channel）等の用語を使用しているが、これは記載の便宜上のためであり、これらと同様の信号、機能等が他の名称で呼ばれてもよい。また、ＮＲにおける上述の用語は、ＮＲ−ＳＳ、ＮＲ−ＰＳＳ、ＮＲ−ＳＳＳ、ＮＲ−ＰＢＣＨ、ＮＲ−ＰＲＡＣＨ、ＮＲ−ＰＤＣＣＨ、ＮＲ−ＰＤＳＣＨ等に対応する。
【００１４】
図１は、本発明の実施の形態における無線通信システムの構成例を示す図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１５】
基地局装置１００は、１つ以上のセルを提供し、ユーザ装置２００と無線通信を行う通信装置である。図１に示されるように、基地局装置１００は、参照信号をユーザ装置２００に送信する。参照信号は、制御信号及びデータ信号が配置される無線フレーム上の予め定められたＯＦＤＭ（Orthogonal Frequency Division Multiplexing）シンボルに配置される。参照信号は、例えば、ＣＲＳ（Cell-specific Reference Signal）、ＤＭＲＳ（Demodulation Reference Signal）、ＰＴＲＳ（Phase Tracking Reference Signal）、ＣＳＩ−ＲＳ（Channel Status Information - Reference Signal）等がある。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。ユーザ装置２００は、基地局装置１００から受信した無線フレーム上の参照信号に基づいて、下りリンクのチャネル推定及び下りリンク信号の復調を行う。
【００１６】
また、図１に示されるように、ユーザ装置２００から基地局装置１００へ上りリンク送信が行われる。上りリンク送信は、例えば、ＮＲ−ＰＵＣＣＨ（Physical uplink control channel）又はＮＲ−ＰＵＳＣＨ（Physical uplink shared channel）を介して実行され、ＮＲ−ＰＵＣＣＨでは制御信号、ＮＲ−ＰＵＳＣＨではデータ及び／又は制御信号が送信される。
【００１７】
なお、本実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１８】
また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することとしてもよい。また、送信ビームを用いて信号を送信することは、特定のアンテナポートで信号を送信することと表現されてもよい。同様に、受信ビームを用いて信号を受信することは、特定のアンテナポートで信号を受信することと表現されてもよい。アンテナポートとは、３ＧＰＰの規格で定義されている論理アンテナポート又は物理アンテナポートを指す。なお、送信ビーム及び受信ビームの形成方法は、上記の方法に限られない。例えば、複数アンテナを備える基地局装置１００及びユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００１９】
（実施例）
以下、実施例について説明する。
【００２０】
図２は、本発明の実施の形態における制御信号及びＤＭＲＳが無線フレームに配置される例（１）を示す図である。図２において、１４ＯＦＤＭシンボルから構成される１スロットが示されている。図２に示される配置の例では、制御信号は、先頭２シンボルに配置されている。
【００２１】
ＮＲにおいては、低いキャリア周波数から高いキャリア周波数まで幅広い周波数をサポートし、様々な要求条件を満たすことが検討されている。そこで、チャネル推定及び受信信号の復調に要する処理時間を短縮するため、復調用参照信号であるＤＭＲＳは、スロットの先頭から３シンボル目に配置される。すなわち、ＤＭＲＳはスロットの時間領域において前方に配置されている。当該前方に配置されるＤＭＲＳを、Ｆｒｏｎｔ−ｌｏａｄｅｄ  ＤＭＲＳという。
【００２２】
またＮＲにおいては、高速移動するユーザ装置２００をサポートすることが要求されている。そこで、図２に示されるように、ＤＭＲＳを、スロット後方の例えば１２シンボル目にさらに挿入して、ドップラー変動を補正することが検討されている。スロットの時間領域において追加で配置されるＤＭＲＳを、Ａｄｄｉｔｉｏｎａｌ  ＤＭＲＳという。
【００２３】
図３は、本発明の実施の形態における制御信号及びＤＭＲＳが無線フレームに配置される例（２）を示す図である。ＮＲにおけるＤＭＲＳのＯＦＤＭシンボルへのマッピング形式を説明する。図３に示される各スロットは、１４ＯＦＤＭシンボルへのチャネルのマッピングを示しており、シンボル内のリソースは、サブキャリア単位で区切られており、１２サブキャリアで構成される。
【００２４】
図３に示される各スロットにおいて、ＰＤＣＣＨは、スロットの先頭３シンボル又は２シンボルに配置される。また、ＰＤＳＣＨは、ＰＤＣＣＨと同じシンボルまたは後方のシンボルに配置される。ただし、図３に示されるように、スロット先頭から１０シンボル目、１１シンボル目、１２シンボル目、１３シンボル目又は１４シンボル目に、ＰＤＳＣＨが含まれないシンボルを有するスロット構成も存在する。
【００２５】
図３に示される各スロットにおいて、前方に配置されるＤＭＲＳが、Ｆｒｏｎｔ−ｌｏａｄｅｄ  ＤＭＲＳであり、後方に配置されるＤＭＲＳが、Ａｄｄｉｔｉｏｎａｌ  ＤＭＲＳである。Ｆｒｏｎｔ−ｌｏａｄｅｄ  ＤＭＲＳは、スロット先頭から３シンボル目又は４シンボル目に配置される。Ａｄｄｉｔｉｏｎａｌ  ＤＭＲＳは、スロット先頭から８シンボル目、１０シンボル目又は１２シンボル目に配置される。
【００２６】
上記のとおり、Ｆｒｏｎｔ−ｌｏａｄｅｄ  ＤＭＲＳは、１シンボルに配置され、Ａｄｄｉｔｉｏｎａｌ  ＤＭＲＳは、１シンボルに配置される。さらに他の複数のＡｄｉｔｉｏｎａｌ  ＤＭＲＳが各１シンボル追加されてスロット内に配置されてもよい。
【００２７】
また、Ｆｒｏｎｔ−ｌｏａｄｅｄ  ＤＭＲＳは、例えばスロット先頭から３シンボル目及び４シンボル目の２シンボルに配置されてもよい。同様に、Ａｄｉｔｉｏｎａｌ  ＤＭＲＳは、例えばスロット先頭から１０シンボル目及び１１シンボル目の２シンボルに配置されてもよい。
【００２８】
図４は、本発明の実施の形態におけるＰＴＲＳが無線フレームに配置される例を示す図である。図４において、１４ＯＦＤＭシンボルから構成される１スロットが示されている。図４に示される配置の例では、制御信号は、先頭２シンボルに配置されており、Ｆｒｏｎｔ−ｌｏａｄｅｄ  ＤＭＲＳは、先頭から３シンボル目に、１サブキャリアおきに配置されている。また、Ａｄｄｉｔｉｏｎａｌ  ＤＭＲＳは、先頭から１２シンボル目に、１サブキャリアおきに配置されている。
【００２９】
図４において、ＰＴＲＳは、先頭５シンボル目から２シンボルごとに１３シンボル目まで配置される。すなわち、位相雑音の補正に適用できるＲＳの所要挿入間隔は、２シンボルごとであるとする。
【００３０】
ここで、あるＰＴＲＳは、ＤＭＲＳポートのいずれかと関連付けられている。すなわち、ＰＴＲＳと対応するＤＭＲＳとは、同一のプリコーディングが行われている。したがって、ＰＴＲＳと、Ａｄｄｉｔｉｏｎａｌ  ＤＭＲＳとが、同一スロット内にマッピングされた場合、位相雑音の補正に適用可能であるＲＳ、すなわちＰＴＲＳ及びＤＭＲＳの挿入間隔が、所要挿入間隔よりも過密となるため、オーバヘッドが増大しスループットが低下する要因となる。
【００３１】
図４に示されるように、先頭から１１シンボル目にＰＴＲＳ、１２シンボル目にＡｄｄｉｔｉｏｎａｌ  ＤＭＲＳ、１３シンボル目にＰＴＲＳが連続して配置されているため、所要挿入間隔の２シンボルごとよりもＲＳが過密に挿入されている。
【００３２】
図５は、本発明の実施の形態におけるＰＴＲＳがＰｕｎｃｔｕｒｅされて無線フレームに配置される例（１）を示す図である。図５において、１４ＯＦＤＭシンボルから構成される１スロットが示されている。図５に示される配置の例では、制御信号は、先頭２シンボルに配置されており、Ｆｒｏｎｔ−ｌｏａｄｅｄ  ＤＭＲＳは、先頭から３シンボル目に、１サブキャリアおきに配置されている。また、Ａｄｄｉｔｉｏｎａｌ  ＤＭＲＳは、先頭から１２シンボル目に、１サブキャリアおきに配置されている。図５において、ＰＴＲＳの所要挿入間隔が４シンボルごとの場合を説明する。
【００３３】
図５に示されるように、ＰＴＲＳは先頭から７シンボル目に配置されている。先頭のＰＴＲＳが挿入されるシンボルの位置は、Ｆｒｏｎｔ−ｌｏａｄｅｄ  ＤＭＲＳが先頭から３シンボル目に配置されているため、Ｆｒｏｎｔ−ｌｏａｄｅｄ  ＤＭＲＳが配置されるシンボルから所要挿入間隔の４シンボルを加えて、７シンボル目と定められてもよい。ここで、１１シンボル目に配置されるＰＴＲＳをＰｕｎｃｔｕｒｅする。例えば、ＰＴＲＳの所要挿入間隔がＮシンボルごとの場合、ＰＴＲＳ及びＡｄｄｉｔｉｏｎａｌ  ＤＭＲＳを含むＲＳの挿入間隔が、Ｎ＋Ｘシンボルごとの間隔となるようにＰＴＲＳのＰｕｎｃｔｕｒｅを行う。すなわち、図５に示される例では、Ｎ＝４、Ｘ＝１として、挿入間隔を４＋１＝５シンボルごとにしている。Ｘの値は、予め規定されてもよいし、シグナリングで通知されてもよい。Ｘの値が予め規定された場合、シグナリングを削減することができる。Ｘの値がシグナリングで通知された場合、柔軟な挿入間隔の設定が可能となる。また、Ｘの値は、Ｎの値ごとに異なる値でもよい。例えば、Ｎ＝２の場合はＸ＝１とし、Ｎ＝４の場合はＸ＝２としてもよい。
【００３４】
上述のように、所要挿入間隔とＰＴＲＳ及びＡｄｄｉｔｉｏｎａｌ  ＤＭＲＳの配置に応じたＰＴＲＳのＰｕｎｃｔｕｒｅにより、所要挿入間隔に近い間隔を維持しつつ、ＲＳによるオーバヘッドを低減することができる。
【００３５】
図６は、本発明の実施の形態におけるＰＴＲＳがＰｕｎｃｔｕｒｅされて無線フレームに配置される例（２）を示す図である。図６において、１４ＯＦＤＭシンボルから構成される１スロットが示されている。図６に示される配置の例では、制御信号は、先頭２シンボルに配置されており、Ｆｒｏｎｔ−ｌｏａｄｅｄ  ＤＭＲＳは、先頭から３シンボル目に、１サブキャリアおきに配置されている。また、Ａｄｄｉｔｉｏｎａｌ  ＤＭＲＳは、先頭から１２シンボル目に、１サブキャリアおきに配置されている。図６において、ＰＴＲＳの所要挿入間隔が２シンボルごとの場合を説明する。
【００３６】
図６に示されるように、ＰＴＲＳは先頭から５シンボル目に配置されている。１１シンボル目及び１３シンボル目に配置されるＰＴＲＳをＰｕｎｃｔｕｒｅする。図５において説明したＰＴＲＳの所要挿入間隔がＮシンボルごとの場合、ＰＴＲＳ及びＡｄｄｉｔｉｏｎａｌ  ＤＭＲＳを含むＲＳの挿入間隔が、Ｎ＋Ｘシンボルごとの間隔とする方法が適用されており、Ｎ＝２、Ｘ＝１として、挿入間隔を２＋１＝３シンボルごとになるようＰＴＲＳのＰｕｎｃｔｕｒｅを行っている。例えば、変更された挿入間隔に基づくＲＳ以降のシンボルにおけるＲＳの挿入間隔は、所要挿入間隔の２シンボルに再度変更してもよいし、変更された挿入間隔の３シンボルのままでもよい。所要挿入間隔の２シンボルに再度変更する方法は、後述する。図５と同様に、Ｘの値は、予め規定されてもよいし、シグナリングで通知されてもよい。
【００３７】
図７は、本発明の実施の形態におけるＰＴＲＳがＰｕｎｃｔｕｒｅされて無線フレームに配置される例（３）を示す図である。図７において、１４ＯＦＤＭシンボルから構成される１スロットが示されている。図７に示される配置の例では、制御信号は、先頭２シンボルに配置されており、Ｆｒｏｎｔ−ｌｏａｄｅｄ  ＤＭＲＳは、先頭から３シンボル目に、１サブキャリアおきに配置されている。また、Ａｄｄｉｔｉｏｎａｌ  ＤＭＲＳは２セット配置されており、先頭から８シンボル目及び１２シンボル目に、１サブキャリアおきに配置されている。図７において、ＰＴＲＳの所要挿入間隔が２シンボルごとの場合を説明する。
【００３８】
図７に示されるように、ＰＴＲＳは先頭から５シンボル目に配置されている。７シンボル目、９シンボル目、１１シンボル目及び１３シンボル目に配置されるＰＴＲＳがＰｕｎｃｔｕｒｅされる。図５において説明したＰＴＲＳの所要挿入間隔がＮシンボルごとの場合、ＰＴＲＳ及びＡｄｄｉｔｉｏｎａｌ  ＤＭＲＳを含むＲＳの挿入間隔が、Ｎ＋Ｘシンボルごとの間隔とする方法が適用されており、Ｎ＝２、Ｘ＝２として、挿入間隔を２＋２＝４シンボルごとになるようＰＴＲＳのＰｕｎｃｔｕｒｅを行っている。なお、Ｎ＝２、Ｘ＝１として、挿入間隔を２＋１＝３シンボルごとになるようＰＴＲＳのＰｕｎｃｔｕｒｅを行う場合は、１１シンボル目に配置されているＰＴＲＳをＰｕｎｃｔｕｒｅしない（図示せず）。図５と同様に、Ｘの値は、予め規定されてもよいし、シグナリングで通知されてもよい。
【００３９】
図８は、本発明の実施の形態におけるＰＴＲＳがシフトされて無線フレームに配置される例（１）を示す図である。図８において、１４ＯＦＤＭシンボルから構成される１スロットが示されている。図８に示される配置の例では、制御信号は、先頭２シンボルに配置されており、Ｆｒｏｎｔ−ｌｏａｄｅｄ  ＤＭＲＳは、先頭から３シンボル目に、１サブキャリアおきに配置されている。また、Ａｄｄｉｔｉｏｎａｌ  ＤＭＲＳは、先頭から１２シンボル目に、１サブキャリアおきに配置されている。図８において、ＰＴＲＳの所要挿入間隔が２シンボルごとの場合を説明する。
【００４０】
図８に示されるように、ＰＴＲＳは先頭から５シンボル目に配置され、以降２シンボルごとにＰＴＲＳが挿入される。ここで、Ａｄｄｉｔｉｏｎａｌ  ＤＭＲＳが配置される１２シンボル以降のシンボルにおいて、再度所要挿入間隔となるようにＰＴＲＳをシフトする。すなわち、図８において、先頭から１３シンボル目に挿入されるＰＴＲＳを１シンボル分後方にシフトして、１４シンボル目に挿入する。当該シフトにより、Ａｄｄｉｔｉｏｎａｌ  ＤＭＲＳが配置されるシンボル以降のシンボルにおいて、２シンボルごとにＰＴＲＳが挿入される。
【００４１】
図９は、本発明の実施の形態におけるＰＴＲＳがシフトされて無線フレームに配置される例（２）を示す図である。図９において、１４ＯＦＤＭシンボルから構成される１スロットが示されている。図９に示される配置の例では、制御信号は、先頭２シンボルに配置されており、Ｆｒｏｎｔ−ｌｏａｄｅｄ  ＤＭＲＳは、先頭から３シンボル目に、１サブキャリアおきに配置されている。また、Ａｄｄｉｔｉｏｎａｌ  ＤＭＲＳは２セット配置されており、先頭から１２シンボル目に、１サブキャリアおきに配置されている。図９において、ＰＴＲＳの所要挿入間隔が２シンボルごとの場合を説明する。
【００４２】
図９に示されるように、ＰＴＲＳは先頭から５シンボル目に配置され、以降２シンボルごとにＰＴＲＳが挿入される。ここで、Ａｄｄｉｔｉｏｎａｌ  ＤＭＲＳが配置される８シンボル以降のシンボルにおいて、再度所要挿入間隔となるようにＰＴＲＳをシフトする。すなわち、図９において、先頭から９シンボル目、１１シンボル目、１３シンボル目に挿入されるＰＴＲＳを１シンボル分後方にシフトして、１０シンボル目及び１４シンボル目に挿入する。先頭から１２シンボル目は、Ａｄｄｉｔｉｏｎａｌ  ＤＭＲＳが配置されているため、ＰＴＲＳをシフトして挿入する必要はない。当該シフトにより、Ａｄｄｉｔｉｏｎａｌ  ＤＭＲＳが配置されるシンボル以降のシンボルにおいて、２シンボルごとにＰＴＲＳが挿入される。
【００４３】
図１０は、本発明の実施の形態におけるＰＴＲＳがシフトされて無線フレームに配置される例（３）を示す図である。図１０において、１４ＯＦＤＭシンボルから構成される１スロットが示されている。図１０に示される配置の例では、制御信号は、先頭２シンボルに配置されており、Ｆｒｏｎｔ−ｌｏａｄｅｄ  ＤＭＲＳは、シンボル数が２であり、先頭から３シンボル目及び４シンボル目に１サブキャリアおきに配置されている。また、Ａｄｄｉｔｉｏｎａｌ  ＤＭＲＳは、シンボル数が２であり、先頭から１０シンボル目及び１１シンボル目に１サブキャリアおきに配置されている。なお、Ａｄｄｉｔｉｏｎａｌ  ＤＭＲＳの１セットあたりのシンボル数は、Ｆｒｏｎｔ−ｌｏａｄｅｄ  ＤＭＲＳのシンボル数と同じである。図１０において、ＰＴＲＳの所要挿入間隔が２シンボルごとの場合を説明する。
【００４４】
図１０に示されるように、ＰＴＲＳは先頭から６シンボル目に配置され、以降２シンボルごとにＰＴＲＳが挿入される。ここで、Ａｄｄｉｔｉｏｎａｌ  ＤＭＲＳが配置される１１シンボル以降のシンボルにおいて、再度所要挿入間隔となるようにＰＴＲＳをシフトする。すなわち、図９において、先頭から１２シンボル目に挿入されるＰＴＲＳを１シンボル分後方にシフトして、１３シンボル目に挿入する。先頭から１４シンボル目は、スロット最後のシンボルであるため、ＰＴＲＳをシフトして挿入する必要はない。当該シフトにより、Ａｄｄｉｔｉｏｎａｌ  ＤＭＲＳが配置されるシンボル以降のシンボルにおいて、２シンボルごとにＰＴＲＳが挿入される。
【００４５】
上述の実施例により、ＰＴＲＳを好適な挿入間隔でマッピングする方法が実現できる。また、基地局装置１００及びユーザ装置２００は、予め規定された方法で、ＰＴＲＳの挿入間隔を調整して送信してもよい。また、上述の実施例におけるＰＴＲＳの挿入間隔調整は、下りリンク及び上りリンクに同様に適用されてもよい。また、基地局装置１００及びユーザ装置２００は、上述の実施例におけるＰＴＲＳの挿入間隔調整が適用された受信信号を想定し、受信処理を行ってもよい。上述の実施例のように、Ｉｍｐｌｉｃｉｔに、すなわち暗黙的に、所要の挿入間隔に調整されたＰＴＲＳのマッピングを実現することで、シグナリングオーバヘッドを増大させることなく、位相雑音の補正精度を向上させることができる。
【００４６】
また、上述の実施例のようにＰＴＲＳをシフトする配置において、ＰＴＲＳが挿入される間隔が、等間隔に近づくため、位相雑音補正精度の平滑化が実現できる。また、上述の実施例のように、ＰＴＲＳをパンクチャリング又はシフトすることによって、ＰＴＲＳ又はＡｄｄｉｔｉｏｎａｌ  ＤＭＲＳが、所定の間隔以内で無線フレームに配置される方法が実現できる。
【００４７】
なお、上述の実施例で説明した各方法は、組み合わされて適用されてもよい。例えば、Ａｄｄｉｔｉｏｎａｌ  ＤＭＲＳより時間領域で前方のシンボルに挿入されるＰＴＲＳは、実施例に示された方法によってＰｕｎｃｔｕｒｅされ、Ａｄｄｉｔｉｏｎａｌ  ＤＭＲＳより時間領域で後方のシンボルに挿入されるＰＴＲＳは、実施例に示された方法によってシフトされてもよい。
【００４８】
また、上述の実施例で説明したいずれかの方法が、高レイヤシグナリングにより明示的に設定又は通知されて、当該方法によりＰＴＲＳのマッピングが規定されてもよい。
【００４９】
なお、ＰＤＣＣＨのサイズは２シンボルに限られない。ＰＤＣＣＨのサイズは、０シンボルでも１シンボルでも３シンボルでもよいし、シンボル内の一部のサブキャリアに挿入されてもよい。
【００５０】
なお、Ｆｒｏｎｔ−ｌｏａｄｅｄ  ＤＭＲＳの挿入位置は、３シンボル目に限られない。４シンボル目でもよいし、上り信号においてはＰＵＳＣＨの先頭シンボルでもよいし、ＰＵＳＣＨの２シンボル目でもよい。また、Ｆｒｏｎｔ−ｌｏａｄｅｄ  ＤＭＲＳのシンボル数は１に限られない。Ｆｒｏｎｔ−ｌｏａｄｅｄ  ＤＭＲＳが２シンボルであって、３シンボル目及び４シンボル目に配置されてもよいし、４シンボル目及び５シンボル目に配置されてもよいし、上り信号においてはＰＵＳＣＨの先頭及び２シンボル目に配置されてもよいし、ＰＵＳＣＨの２シンボル目及び３シンボル目に配置されてもよい。Ａｄｄｉｔｉｏｎａｌ  ＤＭＲＳも同様にスロット内で配置されるシンボルは変更されてもよい。
【００５１】
なお、ＤＭＲＳは、復調用ＲＳと呼ばれてもよい。ＤＭＲＳは、Ｆｒｏｎｔ−ｌｏａｄｅｄ  ＤＭＲＳのみが配置されてもよいし、別のＡｄｄｉｔｉｏｎａｌ  ＤＭＲＳがさらにスロット内で配置されてもよい。  なお、1スロット内のシンボルの数は１４に限られない。１シンボルから１３シンボルのいずれの値をとってもよい。また、１４シンボル以外の場合はミニスロットとよばれてもよい。
【００５２】
下りデータチャネルは、ＰＤＳＣＨと呼ばれてもよい。上りデータチャネルは、ＰＵＳＣＨと呼ばれてもよい。下り制御チャネルは、ＰＤＣＣＨと呼ばれてもよい。上り制御チャネルは、ＰＵＣＣＨと呼ばれてもよい。
【００５３】
上述の実施例において、基地局装置１００及びユーザ装置２００は、Ａｄｄｉｔｉｏｎａｌ  ＤＭＲＳの配置を考慮したＰＴＲＳの配置を行うことで、ＲＳのオーバヘッドを低減することができる。また、暗黙的に所要の挿入間隔に近いＰＴＲＳのマッピングを実現することで、シグナリングオーバヘッドを増大させることなく、受信側装置における位相雑音の補正精度を向上させることが可能となる。また、ＰＴＲＳ又はＤＭＲＳが挿入される間隔が、等間隔に近づくため、位相雑音補正精度の平滑化が実現できる。
【００５４】
すなわち、無線通信システムにおいて、ＰＴＲＳを適切に配置することで、位相雑音の補正精度を向上させることができる。
【００５５】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例を実施する機能を含む。ただし、基地局装置１００及びユーザ装置２００はそれぞれ、実施例の中の一部の機能のみを備えることとしてもよい。
【００５６】
図１１は、基地局装置１００の機能構成の一例を示す図である。図１１に示されるように、基地局装置１００は、送信部１１０と、受信部１２０と、設定情報管理部１３０と、参照信号設定部１４０とを有する。図１１に示される機能構成は一例に過ぎない。本発明の実施の形態に係る動作を実行できるのであれば、機能区分及び機能部の名称はどのようなものでもよい。
【００５７】
送信部１１０は、ユーザ装置２００に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＮＲ−ＰＤＣＣＨ又はＮＲ−ＰＤＳＣＨ等を送信する機能を有する。また、送信部１１０は、ユーザ装置２００に各種の参照信号、例えば、ＤＭＲＳ、ＰＴＲＳ等を送信する。
【００５８】
設定情報管理部１３０は、予め設定される設定情報、及び、ユーザ装置２００に送信する各種の設定情報を格納する。設定情報の内容は、例えば、参照信号の無線フレーム上の配置に関する情報等である。
【００５９】
参照信号設定部１４０は、実施例において説明した、基地局装置１００からユーザ装置２００に送信する各種の参照信号、例えば、ＤＭＲＳ、ＰＴＲＳ等を無線フレームに設定する。
【００６０】
図１２は、ユーザ装置２００の機能構成の一例を示す図である。図１２に示されるように、ユーザ装置２００は、送信部２１０と、受信部２２０と、設定情報管理部２３０と、参照信号処理部２４０とを有する。図１２に示される機能構成は一例に過ぎない。本発明の実施の形態に係る動作を実行できるのであれば、機能区分及び機能部の名称はどのようなものでもよい。
【００６１】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＮＲ−ＰＤＣＣＨ又はＮＲ−ＰＤＳＣＨ等を受信する機能を有する。また、送信部２１０は、基地局装置１００に上りリンク信号を送信し、受信部１２０は、基地局装置１００から各種の参照信号、例えば、ＤＭＲＳ、ＰＴＲＳ等を受信する。  設定情報管理部２３０は、受信部２２０により基地局装置１００から受信した各種の設定情報を格納する。また、設定情報管理部２３０は、予め設定される設定情報も格納する。設定情報の内容は、例えば、参照信号の無線フレーム上の配置に関する情報等である。
【００６２】
参照信号処理部２４０は、実施例において説明した、ユーザ装置２００における参照信号を受信してチャネル推定及び復調に使用する動作等に係る制御を行う。なお、参照信号処理部２４０における参照信号の受信に係る機能部を受信部２２０に含めてもよい。
【００６３】
（ハードウェア構成）
上述の本発明の実施の形態の説明に用いた機能構成図（図１１及び図１２）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６４】
また、例えば、本発明の一実施の形態における基地局装置１００及びユーザ装置２００はいずれも、本発明の実施の形態に係る処理を行うコンピュータとして機能してもよい。図１３は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００６５】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００６６】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００６７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００６８】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図１１に示した基地局装置１００の送信部１１０、受信部１２０、設定情報管理部１３０、参照信号設定部１４０は、記憶装置１００２に格納され、プロセッサ１００１で動作する制御プログラムによって実現されてもよい。また、例えば、図１２に示したユーザ装置２００の送信部２１０と、受信部２２０と、設定情報管理部２３０、参照信号処理部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６９】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００７０】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００７１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００７２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００７３】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００７４】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７５】
（実施の形態のまとめ）
以上、説明したように、本発明の実施の形態によれば、ユーザ装置と通信を行う基地局装置であって、復調に使用される参照信号及び位相補正に使用される参照信号を無線フレームに配置する設定部と、前記無線フレームを前記ユーザ装置に送信する送信部とを有し、前記無線フレームにおいて、位相補正に使用される参照信号及び復調に使用される参照信号のいずれかを、所定の間隔以内で配置する基地局装置が提供される。
【００７６】
上記の構成により、無線通信システムにおいて、ＰＴＲＳを適切に配置することで、参照信号のオーバヘッドを低減させ、かつ位相雑音の補正精度を向上させることができる。
【００７７】
前記無線フレームにおいて、第１の位相補正に使用される参照信号を配置するとき、直前の第２の位相補正に使用される参照信号から所定の間隔以内に、復調に使用される参照信号が配置される場合、前記第１の位相補正に使用される参照信号をパンクチャしてもよい。当該構成により、参照信号のオーバヘッドを低減させることができる。
【００７８】
前記所定の間隔は、位相補正に使用される参照信号間の間隔に、所定のシンボル数を加えた間隔であって、前記位相補正に使用される参照信号間の間隔に基づいて、前記所定のシンボル数が決定されてもよい。当該構成により、ＰＴＲＳ又はＤＭＲＳが挿入される間隔が、等間隔に近づくため、位相雑音補正精度を平滑化することができる。
【００７９】
前記無線フレームにおいて、第１の位相補正に使用される参照信号を配置するとき、直前の第２の位相補正に使用される参照信号から所定の間隔以内に、復調に使用される参照信号が配置される場合、前記第１の位相補正に使用される参照信号の前記無線フレームにおける配置を時間領域においてシフトしてもよい。当該構成により、ＰＴＲＳ又はＤＭＲＳが挿入される間隔が、等間隔に近づくため、位相雑音補正精度を平滑化することができる。
【００８０】
前記第１の位相補正に使用される参照信号の前記無線フレームにおける配置を時間領域においてシフトした場合、前記第２の位相補正に使用される参照信号から所定の間隔以内に配置された復調に使用される参照信号を起点として前記所定の間隔が設けられてもよい。当該構成により、ＰＴＲＳ又はＤＭＲＳが挿入される間隔が、等間隔に近づくため、位相雑音補正精度を平滑化することができる。
【００８１】
また、本発明の実施の形態によれば、基地局装置と通信を行うユーザ装置であって、無線フレームを前記基地局装置から受信する受信部と、復調に使用される参照信号及び位相補正に使用される参照信号を前記無線フレームから取得して復調及び位相補正を行う処理部とを有し、前記無線フレームにおいて、位相補正に使用される参照信号及び復調に使用される参照信号のいずれかを、所定の間隔以内で取得するユーザ装置が提供される。
【００８２】
上記の構成により、無線通信システムにおいて、ＰＴＲＳを適切に取得することで、参照信号のオーバヘッドを低減させ、かつ位相雑音の補正精度を向上させることができる。
【００８３】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８４】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８５】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８６】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８７】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【００８８】
本明細書で説明した各態様／実施形態は単独で用いてもよいし、組み合わせて用いてもよいし、実行に伴って切り替えて用いてもよい。
【００８９】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００９０】
基地局装置１００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【００９１】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００９２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９３】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【００９４】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【００９５】
なお、本発明の実施の形態において、ＤＭＲＳは、復調に使用される参照信号の一例である。ＰＴＲＳは、位相補正に使用される参照信号の一例である。参照信号設定部１４０は、設定部の一例である。シンボル及びサブキャリアで特定されるリソースは、リソースの一例である。１スロット又は１４シンボル、及び１２サブキャリアで規定されるリソースの集合は、無線フレームの一例である。参照信号処理部２４０は、処理部の一例である。Ｎ＋Ｘのシンボル数、又はＮのシンボル数は、所定の間隔の一例である。Ｎのシンボル数は、位相補正に使用される参照信号間の間隔の一例である。Ｘのシンボル数は、
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９６】
１００      基地局装置
２００      ユーザ装置
１１０      送信部
１２０      受信部
１３０      設定情報管理部
１４０      参照信号設定部
２００      ユーザ装置
２１０      送信部
２２０      受信部
２３０      設定情報管理部
２４０      参照信号処理部
１００１    プロセッサ
１００２    記憶装置
１００３    補助記憶装置
１００４    通信装置
１００５    入力装置
１００６    出力装置
【図１】
2019058548.tif 000003
【図２】
2019058548.tif 000004
【図３】
2019058548.tif 000005
【図４】
2019058548.tif 000006
【図５】
2019058548.tif 000007
【図６】
2019058548.tif 000008
【図７】
2019058548.tif 000009
【図８】
2019058548.tif 000010
【図９】
2019058548.tif 000011
【図１０】
2019058548.tif 000012
【図１１】
2019058548.tif 000013
【図１２】
2019058548.tif 000014
【図１３】
2019058548.tif 000015
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
復調用参照信号（ＤＭＲＳ）を第１のリソースに配置し、かつ、前記ＤＭＲＳのシンボルを起点として位相変動補正用参照信号（ＰＴＲＳ）をあるシンボル数の間隔で第２のリソースに配置する制御部と、
前記第１のリソース及び前記第２のリソースにそれぞれ配置された前記ＤＭＲＳ及び前記ＰＴＲＳを基地局装置に送信する送信部と、
を有する端末。
【請求項２】
前記制御部は、第１のＤＭＲＳのシンボルを起点として前記あるシンボル数の間隔で前記ＰＴＲＳを配置する場合であって、かつ、前記ＰＴＲＳの前記あるシンボル数の間隔以内に第２のＤＭＲＳを配置する場合、前記第２のＤＭＲＳのシンボルを起点として前記あるシンボル数の間隔で追加のＰＴＲＳを前記第２のリソースに配置する、
請求項１記載の端末。
【請求項３】
前記制御部は、前記ＤＭＲＳが連続する２シンボルに配置される場合、前記ＤＭＲＳの２シンボル目を起点として前記ＰＴＲＳを前記あるシンボル数の間隔で前記第２のリソースに配置する、
請求項１記載の端末。
【請求項４】
復調用参照信号（ＤＭＲＳ）を基地局装置から送信される第１のリソースにおいて受信し、かつ、前記基地局装置から通知された位相変動補正用参照信号（ＰＴＲＳ）のマッピングを示す情報に基づいて、前記ＤＭＲＳのシンボルを起点として前記ＰＴＲＳをあるシンボル数の間隔で第２のリソースにおいて受信する受信部と、
前記ＤＭＲＳに基づいて復調を行い、前記ＰＴＲＳに基づいて位相補正を行う制御部と、
を有する端末。
【請求項５】
前記受信部は、第１のＤＭＲＳのシンボルを起点として前記あるシンボル数の間隔で前記ＰＴＲＳが配置される場合であって、かつ、前記ＰＴＲＳの前記あるシンボル数の間隔以内に第２のＤＭＲＳが配置される場合、前記第２のＤＭＲＳのシンボルを起点として前記あるシンボル数の間隔で、前記ＰＴＲＳを前記第２のリソースにおいて受信する、
請求項４記載の端末。
【請求項６】
前記受信部は、前記ＤＭＲＳが連続する２シンボルに配置される場合、前記ＤＭＲＳの２シンボル目を起点として前記ＰＴＲＳを前記あるシンボル数の間隔で前記第２のリソースにおいて受信する、
請求項４記載の端末。
【請求項７】
復調用参照信号（ＤＭＲＳ）を第１のリソースに配置し、かつ、前記ＤＭＲＳのシンボルを起点として位相変動補正用参照信号（ＰＴＲＳ）をあるシンボル数の間隔で前記第２のリソースに配置する制御部と、
前記第１のリソース及び第２のリソースにそれぞれ配置された前記ＤＭＲＳ及び前記ＰＴＲＳをユーザ装置に送信する送信部と、
を有する基地局装置。

【国際調査報告】
2019058548.tif 000016
2019058548.tif 000017
2019058548.tif 000018
2019058548.tif 000019